(57)【要約】【課題】本発明は、吸着板が取り付けられたＬＥＤに関する。【解決手段】ＬＥＤに光が透過できる材質の投光部覆って光が乱射することを防ぎ、光の照射範囲を投光部のサイズに指定するが、投光部は、薄膜投光部と厚膜投光部を備えて近距離／遠距離及び正面／側面での視認性を向上させ、さらに使用者がいつでも複数の吸着板が取り付けられたＬＥＤを組み合わせて希望とする内容を表現することができ、同時に容易にその内容を変更することが可能な吸着板が取り付けられたＬＥＤに関する。
2012518265.tif 000002
【特許請求の範囲】
【請求項１】
少なくともひとつ以上のＬＥＤと、前記ＬＥＤの発光部分を囲い前記ＬＥＤの光を外部に透過させる投光部と、前記投光部の上部に前記投光部と連結された形態であり、固定体に密着して前記投光部を固定体に固定させる吸着板と、前記ＬＥＤの底面に位置して前記投光部の下部を囲うキャップと、前記キャップから突出した連結部と、を含むことを特徴とする吸着板が取り付けられたＬＥＤ。
【請求項２】
前記連結部は、フレキシブルな連結電線と連結ジェンダーで構成されていることを含むことを特徴とする請求項１に記載の吸着板が取り付けられたＬＥＤ。
【請求項３】
前記連結部は、前記キャップに固定された連結ポートであることを特徴とする請求項１に記載の吸着板が取り付けられたＬＥＤ。
【請求項４】
前記投光部の下部には、反射板が設置されていることを特徴とする請求項１に記載の吸着板が取り付けられたＬＥＤ。
【請求項５】
前記投光部は、前記ＬＥＤの直ぐ前での眩しい現象を緩和させ、遠距離からの視認性を高めるために投光部の厚みの薄い少なくともひとつ以上の薄膜投光部と、前記ＬＥＤの光を広く分散させてＬＥＤの側面にも光を発光させるための投光部の厚みが前記薄膜投光部より厚い少なくともひとつ以上の厚膜投光部と、を含むことを特徴とする請求項１に記載の吸着板が取り付けられたＬＥＤ。
【請求項６】
前記薄膜投光部または厚膜投光部が図形、数字または文字の形態を有することを特徴とする請求項５に記載の吸着板が取り付けられたＬＥＤ。
【請求項７】
前記薄膜投光部または厚膜投光部には色が塗られていることを特徴とする請求項５に記載の吸着板が取り付けられたＬＥＤ。
【請求項８】
前記薄膜投光部または厚膜投光部は、透明、半透明または不透明な材質のいずれかひとつ以上の組み合わせからなることを特徴とする請求項５に記載の吸着板が取り付けられたＬＥＤ。
【請求項９】
前記ＬＥＤの下部に位置して前記投光部の側面と密着して結合される支持台をさらに含むことを特徴とする請求項１に記載の吸着板が取り付けられたＬＥＤ。
【請求項１０】
前記支持台の直径は前記ＬＥＤの直径より長く、前記支持台には前記ＬＥＤの周りに前記ＬＥＤを保護するための保護壁が設置されていることを特徴とする請求項９に記載の吸着板が取り付けられたＬＥＤ。
【請求項１１】
前記ＬＥＤの外部には前記ＬＥＤを囲う凸レンズ部が形成され、前記凸レンズ部は、下部が前記キャップに結合され、キャップの下部からＬＥＤの側面に沿って薄い壁を形成してＬＥＤの上部に上がり、ＬＥＤの上部には凸レンズが形成された形状であることを特徴とする請求項１に記載の吸着板が取り付けられたＬＥＤ。
【請求項１２】
前記投光部の上部には、ポリカーボネート層がさらに取り付けられていることを特徴とする請求項１に記載の吸着板が取り付けられたＬＥＤ。
【請求項１３】
前記ＬＥＤの上部と対向する前記投光部の内部には、拡散層がさらに取り付けられていることを特徴とする請求項１に記載の吸着板が取り付けられたＬＥＤ。
【請求項１４】
前記拡散層は、クリスタルであることを特徴とする請求項１３に記載の吸着板が取り付けられたＬＥＤ。
【請求項１５】
前記ＬＥＤと接する前記投光部の側面には、少なくともひとつ以上の空気排出溝またはエンボスが形成されていることを特徴とする請求項１に記載の吸着板が取り付けられたＬＥＤ。
【請求項１６】
前記吸着板と投光部は分離可能であり、前記吸着板に前記投光部が結合することを特徴とする請求項１に記載の吸着板が取り付けられたＬＥＤ。
【請求項１７】
前記ＬＥＤに供給される電源は、バッテリー、交流電源、直流電源、ソーラーセルまたはハイブリッドのうちいずれかひとつ以上であることを特徴とする請求項１に記載の吸着板が取り付けられたＬＥＤ。
【請求項１８】
前記投光部は、ガラス、プラスチック、シリコン、ラテック、ゴム、ウレタン、レジン、エポキシ樹脂、ポリカーボネートまたはポリマーのいずれかひとつ以上の材質からなることを特徴とする請求項１に記載の吸着板が取り付けられたＬＥＤ。
【請求項１９】
複数の吸着板が取り付けられたＬＥＤが結合して文字または図形を表現し、前記それぞれの吸着板が取り付けられたＬＥＤは、少なくともひとつ以上のＬＥＤと、前記ＬＥＤの発光部分を囲い前記ＬＥＤの光を外部に透過させる投光部と、前記ＬＥＤの底面に位置して前記投光部の開放された部分を囲うキャップと、前記吸着板が取り付けられたＬＥＤの両端に位置するキャップから突出した連結部と、前記複数の吸着板が取り付けられたＬＥＤを連結するためにキャップから突出して隣接したキャップと連結される連結電線と、を含み、前記投光部のうち少なくともいずれかひとつ以上の投光部には、前記投光部の上部に前記投光部と連結されて固定体に密着して前記複数の吸着板が取り付けられたＬＥＤを固定体に固定させる吸着板が取り付けられていることを特徴とする吸着板が取り付けられたＬＥＤ。
【請求項２０】
前記複数の吸着板が取り付けられたＬＥＤを取付板に一定の間隔で取り付けられていることを特徴とする請求項１９に記載の吸着板が取り付けられたＬＥＤ。
【請求項２１】
固定部を中心にそれぞれの両面に取り付けられた第１及び第２ＬＥＤと、前記第１及び第２ＬＥＤをそれぞれ囲い前記第１及び第２ＬＥＤの光を外部に透過させる第１及び第２投光部と、前記第１投光部の上部に前記第１投光部と連結された形態であり、固定体に密着して前記投光部を固定体に固定させる吸着板と、前記固定部から突出した連結部と、を含むことを特徴とする吸着板が取り付けられたＬＥＤ。
【請求項２２】
特定の内容が印刷された布またはフィルム紙に一定の間隔で複数の溝を作り、前記溝に吸着板が取り付けられたＬＥＤが挿入され、前記吸着板が取り付けられたＬＥＤは、少なくともひとつ以上のＬＥＤと、前記ＬＥＤの発光部分を囲い前記ＬＥＤの光を外部に透過させる投光部と、前記投光部の上部に前記投光部と連結された形態であり、固定体に密着して前記投光部を固定体に固定させる吸着板と、前記ＬＥＤの底面に位置し、前記投光部の開放された部分を囲うキャップと、前記キャップから突出した連結部と、を含むことを特徴とする吸着板が取り付けられたＬＥＤ。
【請求項２３】
遮光性フィルムに一定の間隔で複数の吸着板が取り付けられたＬＥＤが取り付けられ、前記吸着板が取り付けられたＬＥＤは、少なくともひとつ以上のＬＥＤと、前記ＬＥＤの発光部分を囲い前記ＬＥＤの光を外部に透過させる投光部と、前記投光部の上部に前記投光部と連結された形態であり、固定体に密着して前記投光部を固定体に固定させる吸着板と、前記ＬＥＤの底面に位置して前記投光部の開放された部分を囲うキャップと、前記キャップから突出した連結部と、を含むことを特徴とする吸着板が取り付けられたＬＥＤ。
【請求項２４】
前記キャップは、内部に内部電線が納まる溝の形態を有する電線溝と、前記電線溝に納まっている内部電線と、前記ＬＥＤの陽極と陰極を前記内部電線の陽極線と陰極線にそれぞれ連結する螺旋状の２つの連結ねじと、を含むことを特徴とする請求項１に記載の吸着板が取り付けられたＬＥＤ。
【発明の詳細な説明】
【技術分野】
【０００１】
本発明は、吸着板が取り付けられたＬＥＤに関するもので、より詳しくは、ＬＥＤに光が透過できる材質の投光部を覆って光が乱射することを防ぎ、光の照射範囲を投光部のサイズに指定するが、投光部は、薄膜投光部と厚膜投光部を備えて近距離／遠距離及び正面／側面での視認性を向上させ、さらに使用者がいつでも複数の吸着板が取り付けられたＬＥＤを組み合わせて希望とする内容を表現することができ、同時に容易にその内容を変更することが可能な吸着板が取り付けられたＬＥＤに関する。
【背景技術】
【０００２】
商店のガラス窓には、販売する商品に関する情報提供や飾りのために様々な形の小型の看板が設置されている。このような小型の看板は、ただ単純に紙や布に文字または図形が印刷されたものからアクリル板を用いて高級に製作された看板に至るまで様々な種類がある。このような小型の看板の中にはＬＥＤを用いた小型の看板が使われている。
【０００３】
しかし、このようなＬＥＤを使った小型の看板の一番の短所は、ＬＥＤは正面発光をするため、ＬＥＤの直ぐ前からＬＥＤを眺めると輝度が高いため眩しい現象があり、これによって目が疲れやすくなる。また、ＬＥＤから発光する光は直進する性質があるため、ＬＥＤの側面には光が殆ど届かず側面からこれを認識することが容易ではないという問題がある。
【０００４】
さらに、小型の看板に取り付けられたＬＥＤから出る光は、輝度が高いため、小型の看板の前に位置するガラス窓に乱反射が激しく、ＬＥＤ光がガラス窓に広がり、外部からはＬＥＤが伝えようとする文字、数字または図形を認識することが難しいという問題があった。
【０００５】
従って、小型の看板に複数のＬＥＤを組み合わせて文字、数字または図形を表現する場合には、ＬＥＤ正面の直ぐ前では眩しさによって目が疲れやすくなり、投光部の形状を認識することが難しく、逆に側面では光が届かないことがあって投光部の形状を認識することが困難であり、さらにＬＥＤから放出される光はガラス窓に乱反射して全体的に文字、数字または図形を認識することが難しい場合がある。
【０００６】
さらに、上記のＬＥＤの正面発光とＬＥＤから発光された光の直進性のため、従来のＬＥＤを用いた発光装置は、一つのＬＥＤ光が照射される範囲が相対的に狭いため、複数のＬＥＤを使用して遠距離及び近距離での視認性を向上させた。しかし、この場合には、複数のＬＥＤを設置しなければならないため回路の構成が複雑になり、設置代、材料費などが高く、さらにメンテナンスも難しいという問題があった。
【０００７】
また、このような小型の看板は、単純にマジックペンなどを用いて紙に文字または図形を描いた後に、これをガラス窓に両面テープを使って貼り付けるときを除いては、一度製作された小型の看板は製作された内容そのままの情報のみ提供し、他の内容を掲示するためには小型の看板を新たに製作しなければならないため、時間及び費用が掛かるという問題があった。勿論、電光板を用いた場合には、その内容を容易に変更することはできるが、電光板の制作費用が高いという問題がある。
【発明の概要】
【発明が解決しようとする課題】
【０００８】
本発明は、上記の問題点を解決すべく発明されたもので、本発明は、ＬＥＤに光が透過できる材質の薄膜投光部と厚膜投光部を備えた投光部を覆って光が乱射することを防ぎ、光の照射範囲を投光部のサイズに指定するが、薄膜投光部では光を遠くまで届けることができるようにしながらも、ＬＥＤ正面の直ぐ前での眩しさを緩和させ、厚膜投光部では媒質が厚いため媒質を通過する光の一部が内部で反射して光を側面にも伝えながらも、ＬＥＤが取り付けられるガラス窓によるＬＥＤ光の乱反射を最小化して、光が広がることを防いで近距離／遠距離及び正面／側面での視認性を向上させ、さらに使用者がいつでも複数の吸着板が取り付けられたＬＥＤを組み合わせて自分が希望とする内容を表現することができると共に、その内容の変更も容易な吸着板が取り付けられたＬＥＤを提供することにその目的がある。
【課題を解決するための手段】
【０００９】
本発明による吸着板が取り付けられたＬＥＤは、少なくともひとつ以上のＬＥＤと、上記ＬＥＤの発光部分を囲い上記ＬＥＤの光を外部に透過させる投光部と、上記投光部の上部に上記投光部と連結された形態であり、固定体に密着して上記投光部を固定体に固定させる吸着板と、上記ＬＥＤの底面に位置して上記投光部の下部を囲うキャップと、上記キャップから突出した連結部と、を含むことを特徴とする。
【００１０】
本発明の他の好ましい特徴によると、上記連結部は、フレキシブルな連結電線と連結ジェンダーで構成されている。
【００１１】
本発明の他の好ましい特徴によると、上記連結部は、上記キャップに固定された連結ポートである。
【００１２】
本発明の他の好ましい特徴によると、上記キャップは、内部に内部電線が納まる溝の形態を有する電線溝と、上記電線溝に納まっている内部電線と、及び上記ＬＥＤの陽極と陰極を上記内部電線の陽極線と陰極線にそれぞれ連結する螺旋状の２つの連結ねじと、を含む。
【００１３】
本発明の他の好ましい特徴によると、上記投光部の下部には、反射板が設置されている。
【００１４】
本発明の他の好ましい特徴によると、上記投光部は、上記ＬＥＤの直ぐ前での眩しい現象を緩和させ、遠距離での視認性を高めるために、投光部の厚みの薄い少なくともひとつ以上の薄膜投光部と、上記ＬＥＤの光を広く分散させてＬＥＤの側面にも光を発光させるための投光部の厚みが上記薄膜投光部より厚い少なくともひとつ以上の厚膜投光部と、を含む。
【００１５】
本発明の他の好ましい特徴によると、上記薄膜投光部または厚膜投光部が図形、数字または文字の形態を有する。
【００１６】
本発明の他の好ましい特徴によると、上記薄膜投光部または厚膜投光部には色が塗られている。
【００１７】
本発明の他の好ましい特徴によると、上記薄膜投光部または厚膜投光部は、透明、半透明または不透明な材質のうちいずれかひとつ以上の組み合わせからなる。
【００１８】
本発明の他の好ましい特徴によると、上記ＬＥＤの下部に位置し上記投光部の側面と密着して結合される支持台をさらに含む。
【００１９】
本発明の他の好ましい特徴によると、上記支持台の直径は、上記ＬＥＤの直径より長く、上記支持台には上記ＬＥＤの周りに上記ＬＥＤを保護するための保護壁が設置されている。
【００２０】
本発明の他の好ましい特徴によると、上記ＬＥＤの外部には、上記ＬＥＤを囲んだ凸レンズ部が形成され、上記凸レンズ部は、下部が上記キャップに結合され、キャップの下部からＬＥＤの側面に沿って薄い壁を形成してＬＥＤの上部に上がり、ＬＥＤの上部には凸レンズが形成されている形状である。
【００２１】
本発明の他の好ましい特徴によると、上記投光部の上部にはポリカーボネート層がさらに取り付けられている。
【００２２】
本発明の他の好ましい特徴によると、上記ＬＥＤの上部と対向する上記投光部の内部には拡散層がさらに取り付けられている。
【００２３】
本発明の他の好ましい特徴によると、上記拡散層は、クリスタルからなっている。
【００２４】
本発明の他の好ましい特徴によると、上記ＬＥＤと接する上記投光部の側面には、少なくともひとつ以上の空気排出溝またはエンボスが形成されている。
【００２５】
本発明の他の好ましい特徴によると、上記吸着板と投光部は分離することが可能で、上記吸着板に上記投光部が結合されている。
【００２６】
本発明の他の好ましい特徴によると、上記ＬＥＤに供給される電源は、バッテリー、交流電源、直流電源、ソーラーセルまたはハイブリッドのうちいずれかひとつ以上の組み合わせである。
【００２７】
本発明の他の好ましい特徴によると、上記投光部は、ガラス、プラスチック、シリコン、ラテック、ゴム、ウレタン、レジン、エポキシ樹脂、ポリカーボネートまたはポリマーのいずれかひとつ以上の材質からなる。
【００２８】
本発明による吸着板が取り付けられたＬＥＤは、複数の吸着板が取り付けられたＬＥＤが結合されて文字または図形を表現し、上記それぞれの吸着板が取り付けられたＬＥＤは、少なくともひとつ以上のＬＥＤと、上記ＬＥＤの発光部分を囲い上記ＬＥＤの光を外部に透過させる投光部と、上記ＬＥＤの底面に位置して上記投光部の開放された部分を囲うキャップと、上記吸着板が取り付けられたＬＥＤの両端に位置するキャップから突出した連結部と、及び上記複数の吸着板が取り付けられたＬＥＤを連結するために、キャップから突出して隣接したキャップと連結される連結電線と、を含み、上記投光部のうち少なくともいずれかひとつ以上の投光部には、上記投光部の上部に上記投光部と連結されて固定体に密着して上記複数の吸着板が取り付けられたＬＥＤを固定体に固定させる吸着板が取り付けられていることを特徴とする。
【００２９】
本発明の他の好ましい特徴によると、上記複数の吸着板が取り付けられたＬＥＤは、取付板に一定の間隔で取り付けられている。
【００３０】
本発明による吸着板が取り付けられたＬＥＤは、固定部を中心としてそれぞれ両面に取り付けられた第１及び第２ＬＥＤと、上記第１及び第２ＬＥＤをそれぞれ囲い上記第１及び第２ＬＥＤの光を外部に透過させる第１及び第２投光部と、上記第１投光部の上部に上記第１投光部と連結された形態であり、固定体に密着して上記投光部を固定体に固定させる吸着板と、上記固定部から突出した連結部と、を含むことを特徴とする。
【００３１】
本発明による吸着板が取り付けられたＬＥＤは、特定の内容が印刷された布またはフィルム紙に一定の間隔で複数の溝を作って上記溝に吸着板が取り付けられたＬＥＤが挿入され、上記吸着板が取り付けられたＬＥＤは、少なくともひとつ以上のＬＥＤと、上記ＬＥＤの発光部分を囲い上記ＬＥＤの光を外部に透過させる投光部と、上記投光部の上部に上記投光部と連結された形態であり、固定体に密着して上記投光部を固定体に固定させる吸着板と、上記ＬＥＤの底面に位置して上記投光部の開放された部分を囲うキャップと、上記キャップから突出した連結部と、を含むことを特徴とする。
【００３２】
本発明による吸着板が取り付けられたＬＥＤは、遮光性フィルムに一定の間隔で複数の吸着板が取り付けられたＬＥＤが取り付けられ、上記吸着板が取り付けられたＬＥＤは、少なくともひとつ以上のＬＥＤと、上記ＬＥＤの発光部分を囲い上記ＬＥＤの光を外部に透過させる投光部と、上記投光部の上部に上記投光部と連結された形態であり、固定体に密着して上記投光部を固定体に固定させる吸着板と、上記ＬＥＤの底面に位置して上記投光部の開放された部分を囲うキャップと、上記キャップから突出した連結部と、を含むことを特徴とする。
【発明の効果】
【００３３】
本発明によるＬＥＤが取り付けられた吸着板が取り付けられたＬＥＤは、特殊に作られた投光部を採用することで、遠距離／近距離及び正面／側面での視認性が向上して情報伝達、外見向上及び広告効果を最大化することができる。また本発明によるＬＥＤが取り付けられた吸着板が取り付けられたＬＥＤは、使用者がいつでも自分が希望とする内容に容易に表現を変更することができ、必要に応じては複数の吸着板が取り付けられたＬＥＤを連結していかなる文字や図形であっても容易に表現することができる。
【００３４】
また従来の電光板とは異なって、初期設置費用が殆どかからず、また内容の変更も非常に簡単に追加費用無く行うことができる。
【００３５】
さらにＬＥＤを使用するため、電力消費が最小化され、ほぼ半永久的に使用できるという長所がある。
【００３６】
商店や店舗の広告用のポールサイン（ｐｏｌｅ  ｓｉｇｎ）の視認性の確保のために、本発明による吸着板が取り付けられたＬＥＤを使用することで、投光された閃光を用いて形態や文字を効果的に伝えることができ、さらにサイズや体積の大きくないスリムな吸着板が取り付けられたＬＥＤを使用してガラス窓の限られた空間をより効率的に活用してディスプレイ用インテリアの演出及び広告用の演出ができる。
【図面の簡単な説明】
【００３７】
【図１】本発明による吸着板が取り付けられたＬＥＤの概略図である。
【図２】ＬＥＤ発光部分が小さい場合の本発明による吸着板が取り付けられたＬＥＤの概略図である。
【図３】本発明による吸着板が取り付けられたＬＥＤが固定体に固定されたことを示した図面である。
【図４】連結部の他の実施例を示した断面図である。
【図５】半球形の投光部を有する吸着板が取り付けられたＬＥＤの概略図である。
【図６】本発明による吸着板が取り付けられたＬＥＤを上から見たときの断面図である。
【図７】凸レンズ部がさらに形成された吸着板が取り付けられたＬＥＤの概略図である。
【図８】ポリカーボネート層が取り付けられた吸着板が取り付けられたＬＥＤの断面図である。
【図９】拡散層が取り付けられた吸着板が取り付けられたＬＥＤの断面図である。
【図１０】支持台がさらに設けられた吸着板が取り付けられたＬＥＤの断面図である。
【図１１】保護台がさらに設けられた吸着板が取り付けられたＬＥＤの概略図である。
【図１２】二つの空気排出溝が形成されたＬＥＤアセンブリの断面図である。
【図１３】図１２のＡＡ部分の断面図である。
【図１４】エンボスが形成されたＬＥＤアセンブリの断面図である。
【図１５】反射板が設けられた吸着板が取り付けられたＬＥＤの断面図である。
【図１６】複数の吸着板が取り付けられたＬＥＤが結合された実施例を示した図面である。
【図１７】取付板が設けられた吸着板が取り付けられたＬＥＤの概略図である。
【図１８】本発明による吸着板が取り付けられたＬＥＤの他の実施例を示した図面である。
【図１９】本発明による吸着板が取り付けられたＬＥＤの活用例を示した図面である。
【図２０】本発明による吸着板が取り付けられたＬＥＤの活用例を示した図面である。
【図２１】本発明による吸着板が取り付けられたＬＥＤの活用例を示した図面である。
【図２２】本発明による吸着板が取り付けられたＬＥＤの活用例を示した図面である。
【図２３】匸字状の取付板の概略図である。
【図２４】結合口が形成された吸着板の概略図である。
【図２５】本発明による吸着板が取り付けられたＬＥＤが電線に沿って移動しながら必要に応じて固定させることができる形態のキャップを有する吸着板が取り付けられたＬＥＤの平面図である。
【図２６】本発明による吸着板が取り付けられたＬＥＤが電線に沿って移動しながら必要に応じて固定させることができる形態のキャップを有する吸着板が取り付けられたＬＥＤの側面図である。
【発明を実施するための形態】
【００３８】
以下に例示図をもとに本発明の一実施例に関する構成及び作用を詳しく説明する。但し、以下の実施例は、本発明が属した技術分野において通常の知識を有する者が本発明を十分理解するようにするために提供されるもので、本発明の範囲がこれによって限定されるのではない。
【００３９】
本発明において吸着板が取り付けられたＬＥＤとは、広告、情報伝達または外見の向上などの目的で発光体の外部に光が透過できる透明または半透明な材質の投光体を覆ったものを意味し、一つの吸着板が取り付けられたＬＥＤのみで使われることもできるが、通常、複数の吸着板が取り付けられたＬＥＤを組み合わせて文字、数字または図形などを表現することとなる。図１は、本発明による吸着板が取り付けられたＬＥＤの概略図である。図１のように、本発明による吸着板が取り付けられたＬＥＤ１００は、ＬＥＤ１、投光部１０、吸着板２０、キャップ３０、連結部４０を含む。以下、各部分について説明する。
【００４０】
本発明で使われるＬＥＤは、その形態に特に制限は無い。例えば、ＬＥＤの発光部分が図１のように長い場合だけでなく、図２のようにＬＥＤの発光部分が短い場合も含む。ここで、図２のようにＬＥＤの発光部分が短い場合には、図１と比べてＬＥＤの側面の明るさがより強調されることができる。さらに、図２のようにＬＥＤの発光部分が短い場合には、投光部の形状がＬＥＤ発光の形状によって変わることもできる。他にも、発光部分が短いが広い形態のＬＥＤ及び丸い形態のＬＥＤも本発明に適用できることは当然である。
【００４１】
本発明に使われるＬＥＤは、少なくともひとつ以上設けられる。ここで、ＬＥＤの数には特に制限は無い。複数のＬＥＤが設けられる場合には、互いに異なる色のＬＥＤが設けられることができ、さらにそれぞれのＬＥＤが設けられる角度を変えて設けることもできる。これは、ＬＥＤから放出される光の直進性を考えて様々な角度からの視認性を向上させるためである。
【００４２】
投光部１０は、ＬＥＤ１の発光部分を囲んでＬＥＤ１の光を外部へ透過させる。投光部１０は、光が乱射することを防ぎ、照射範囲を形状の大きさに指定して光の集中度を高め、その形状によって様々な表現ができ、一つのＬＥＤアセンブリに複数の色、形及び明るさが表現できるようにする。また、投光部１０は、ＬＥＤ１の発光部分を囲んでいるため、ＬＥＤ１に与えられる外部の衝撃からＬＥＤ１を保護する役割をする。ＬＥＤ１から放出された光は、投光部１０を経て外部へ放出されるが、投光部１０を通りながら光は反射、回折などをする。
【００４３】
投光部１０の構造には特に制限は無い。但し、投光部１０は、内部にＬＥＤ１が収まるような空間が必要で、ＬＥＤ１が嵌められる下部は開放された形態である。また投光部１０は、吸着板２０の着脱の際に手で握る手段としても使われるため、図１に図示されたように、吸着板２０の一方向のみに形成されなければならない。
【００４４】
吸着板２０は、本発明による吸着板が取り付けられたＬＥＤをガラスまたは光が透過できる透明または半透明な材質の平らな固定体に固定させるための固定手段に該当する。固定手段には特に制限は無いが、本発明では、このような固定手段として吸着板２０を使用することで、誰でも容易に本発明によるヌードサイン１００を固定体に着脱できるようにした。従って、いつでも使用者のニーズに合わせて吸着板が取り付けられたＬＥＤの配列を変えることができるため、吸着板が取り付けられたＬＥＤによって伝えようとする内容を容易かつ簡単に変更できるという長所がある。吸着板２０は、投光部１０の上部の周りに投光部１０と連結された形態または投光部１０の上部に連結された形態を有し、ガラスのような固定体９０に密着して上記投光部１０を固定体９０に固定させる役割をする。図３は、本発明による吸着板が取り付けられたＬＥＤが固定体に固定されたことを示した図面である。
【００４５】
吸着板２０は、ガラスまたは光が透過できる固定体に本発明による吸着板が取り付けられたＬＥＤの取り付けが容易にできる、密着力に優れた材質であれば良い。好ましくは、投光部１０と吸着板２０は、固定体に容易に取り付け可能な同じ材質で製作する。また吸着板２０は、特別な目的で光を遮断する必要があるときを除いては、厚膜投光部１４から放出された光が全て外部へ放出されることを妨げないよう透明な物質からなることが好ましい。結局、透明性、密着性及び成型優秀性などを考えたとき、吸着板はシリコンで作られることが最も好ましい。
【００４６】
キャップ３０は、ＬＥＤの底面に位置し、投光部の開放された部分を含む投光部の下部を囲う蓋の一種に該当する部分である。キャップ３０の内部には、ＬＥＤ１に電源を供給するための電線がＬＥＤ１と連結され、必要によってはこの部分にＰＣＢ基板３２が位置することもできる。すなわち、これはコネクターの役割をする。
【００４７】
キャップの形態には特に制限は無いが、好ましくは、本発明による吸着板が取り付けられたＬＥＤが電線３８に沿って移動しながら必要に応じて固定させる形態を有することが好ましい。
【００４８】
図２５と図２６は、本発明による吸着板が取り付けられたＬＥＤが電線に沿って移動しながら必要に応じて固定できる形態のキャップを有する吸着板が取り付けられたＬＥＤの平面図と側面図である。図２５と図２６のように、キャップ３０は、内部に内部電線３８が納まる溝の形態を有する電線溝３６、電線溝３６に納まっている内部電線３８及びＰＣＢ基板３２の陽極と陰極を内部電線の陽極線と陰極線にそれぞれ連結する螺旋状の２つの連結ねじ３４を含む。
【００４９】
連結ねじ３４を緩めて電線溝３６に納まっている内部電線３８を移動させた後、再度連結ねじ３４を締めると、連結ねじ３４の末端の鋭い部分が内部電線３８を貫通する。これによって内部電線３８は、連結ねじ３４を通じてＬＥＤに電気的に連結される。これによって吸着板が取り付けられたＬＥＤの間に不要な電線が残らないため外見上きれいになり、電気事故を防ぐことができる。
【００５０】
連結部４０は、キャップの内部の電線と連結されてキャップ３０の両側面を通じて外部に突出された部分であって、連結部４０は、外部の他の吸着板が取り付けられたＬＥＤの連結部と連結されたり、外部の電源供給装置（未図示）に連結されたりする。
【００５１】
連結部４０は、キャップの両側面に突出したフレキシブルな連結電線４２とこれに連結された連結ジェンダー４４で構成されることができる。フレキシブルな連結電線４２は、隣接した他の吸着板が取り付けられたＬＥＤの連結部と連結できるような長さを有する。連結電線４２の長さは、多様に製作して販売することができる。連結ジェンダー４４は、他の吸着板が取り付けられたＬＥＤの連結ジェンダーと連結される部分であって、本発明による吸着板が取り付けられたＬＥＤは、使用者のニーズによってその配列を容易に変えることが可能でなければならないため、連結ジェンダー４４は簡単に結合と分離が可能である必要がある。例えば、ひとつの吸着板が取り付けられたＬＥＤにおける２つの連結ジェンダーは、それぞれ雌連結ジェンダーと雄連結ジェンダーで構成され、これらは他の吸着板が取り付けられたＬＥＤの雄連結ジェンダーと雌連結ジェンダーにそれぞれ連結される。
【００５２】
図４は、連結部の他の実施例を示した断面図である。図４のように、連結部４０は、キャップに固定された連結ポート４６の形態を有する。この場合は、本発明による吸着板が取り付けられたＬＥＤを隣接して複数設置するときに使用することができる。ここで連結ポート４６は、上記の連結ジェンダー４４と同じ概念の製品が使われる。
【００５３】
さらに、遠く離れている２つの吸着板が取り付けられたＬＥＤを連結する必要がある場合には、その間に追加の連結線を使用することができる。ここで追加の連結線は、両端に雌連結ジェンダーと雄連結ジェンダーをそれぞれ有している。追加の連結線については図１９に図示されている。図１９において追加の連結線１３０は、両端に連結ジェンダー１３２を有し、これは吸着板が取り付けられたＬＥＤの連結部４０に連結される。
【００５４】
また本発明による投光部１０は、遠距離／近距離及び正面／側面での視認性を向上させるため、少なくともひとつ以上の薄膜投光部１２と少なくともひとつ以上の厚膜投光部１４で構成されることが好ましい。
【００５５】
薄膜投光部１２は、ＬＥＤ１の光を遠距離まで届けるが、近距離、特にＬＥＤの直ぐ前での眩しい現象を緩和させるために投光部の厚みが薄い部分であり、厚膜投光部１４は、ＬＥＤ１の光を広く分散させてＬＥＤ１の側面からもＬＥＤ１の光を容易に認識して形状を強調するために投光部の厚みが上記薄膜投光部１２より厚い部分である。薄膜投光部１２ではＬＥＤ１の光が通過する媒質の厚みが薄いため、光はエネルギーの損失無く殆ど通過するようになり、従って、比較的に遠距離にいる人も薄膜投光部１２から放出された光を認識することができる。しかし、薄膜投光部１２にも薄い膜が存在するため、これによってＬＥＤの正面の直ぐ前での眩しい現象が緩和される。
【００５６】
薄膜投光部１２の厚みは、設置されるＬＥＤの輝度によって変わる。通常のＬＥＤの場合には、厚みが０．１〜１０ｍｍであることが好ましい。０．１ｍｍ未満であると直ぐ前での眩しい現象があり、１０ｍｍを超えるとＬＥＤ光が薄膜投光部によって妨害を受け遠くまで届き難くなる。
【００５７】
薄膜投光部１２は、光を遠距離まで届けることを可能にしながらも、ＬＥＤの直ぐ前での眩しい現象を緩和させて全体的に視認性を向上させる。
【００５８】
このような薄膜投光部１２は、投光部１０の内部に孔を開けて薄膜投光部を周りより薄くしたり、投光部の外部の表面のうち光が強く発散される必要のある部分を周りより薄く成型する方法で形成することができる。
【００５９】
厚膜投光部１４は、投光部の厚みが薄膜投光部１２より厚い部分であって、媒質が厚いため媒質を通過する光の一部は、内部で反射して厚膜投光部１４の全体にわたって光が分散して外部へ放出されることになる。従って、厚膜投光部１４から放出される光は、薄膜投光部１２から放出される光に比べると暗いが、全体的に分散してＬＥＤ１の発光方向の正面だけでなく側面からもその形態を認識することができる。
【００６０】
また投光部、特に厚膜投光部が存在することでＬＥＤの強い光が１次的に投光部によって拡散するため、ガラス窓での輝度が相対的に低くなりガラス窓からの光の乱反射による光の広がり現象を防ぐことができる。
【００６１】
結果として、薄膜投光部１２から放出される光は、ＬＥＤ１の正面から遠くまで到達して遠い距離にいる人も容易に認知することができながらも、ＬＥＤ正面の直ぐ前での眩しい現象を緩和させて近距離、特に直ぐ前からも目の疲れ無くＬＥＤ１光を認識することができ、厚膜投光部１４から放出される光は、ＬＥＤ１の側面にもＬＥＤ光が放出されてＬＥＤ１の光の進行方向の側面からもその形態を人が容易に認知できるようにし、さらにガラス窓による光の広がり現象を防いで形態性の向上に役立つ。さらに、薄膜投光部１２からの光は明るく厚膜投光部１４からの光はかすかに照らして、薄膜投光部１２と厚膜投光部１４がバランス良く視覚的に非常に優れた効果を奏している。
【００６２】
厚膜投光部１４の厚みには特に制限は無いが、厚膜投光部は光が側面に放出されるために薄膜投光部１２より１．５〜２０倍の厚みを有することが好ましい。２０倍を超えると外部へ放出される光の量が少なすぎるという問題がある。
【００６３】
薄膜投光部１２と厚膜投光部１４の位置には特に制限は無いが、薄膜投光部１２からの光が遠距離まで到達するためには、ＬＥＤ１から放出される光の直進性を考えると、ＬＥＤ１光が最も強く放出される方向である前面に形成されることが好ましく、厚膜投光部１４は薄膜投光部１２の周りに設置されることが好ましい。
【００６４】
また、薄膜投光部１２と厚膜投光部１４の数には特に制限は無く、必要に応じて複数を形成することもできる。
【００６５】
投光部１０の全体的な形態には特に制限は無い。図１では四面体を基準として図示したが、必要によっては、三面体、五面体、六面体、半球形などの様々な立体的な形状を有することもできる。図５は、様々な立体的な形状の例示であって、半球形の形状を有する投光部を図示した。
【００６６】
また、吸着板２０、薄膜投光部１２と厚膜投光部１４を上から見たときの形態には特に制限は無い。一般に円形を成すが、場合によって、星、三角形、四角形、動物、人、文字などを含む特定の図形或いは文字の形態を有することもできる。この場合に、薄膜投光部１２または厚膜投光部１４に形成されている図形や文字の形態を外部から認識することが可能となる。図６は、本発明による吸着板が取り付けられたＬＥＤを上から見たときの断面図であって、様々な形態を有する吸着板２０、薄膜投光部１２、厚膜投光部１４を例示したものである。
【００６７】
また、ＬＥＤ発光装置の視覚的な効果を強調するために薄膜投光部１２や厚膜投光部１４には色を塗ることもできる。ここで、薄膜投光部１２と厚膜投光部１４は同じ色で塗ることもできるが、互いに異なる色で塗ることもできる。また、薄膜投光部１２と厚膜投光部１４に複数の色を同時に塗ることもできる。さらに、薄膜投光部１２と厚膜投光部１４の外部のみ色を塗ることもできる。また、ＬＥＤと投光部の色を互いに同じ或いは異なるようにして一つのＬＥＤから放出される光を多様に表現することができる。
【００６８】
さらに薄膜投光部１２または厚膜投光部１４は、透明、半透明または不透明な材質のいずれかひとつ以上の組み合わせで様々な表現ができる。
【００６９】
投光部１０の材質には特に制限は無く、成型が可能で光が透過できる材質であれば良い。一例として、ガラス、プラスチック、シリコン、ラテック、ゴム、ウレタン、レジン、エポキシ樹脂、ポリカーボネートまたはポリマーなどが挙げられる。このうち成型性に優れたシリコンや光拡張性に優れたポリカーボネートが最も好ましい。
【００７０】
本発明による吸着板が取り付けられたＬＥＤは、遠距離及び近距離からの視認性を向上させるため、凸レンズ部をさらに形成することができる。図７は、凸レンズ部がさらに形成された吸着板が取り付けられたＬＥＤの概略図である。凸レンズ部８０は、ＬＥＤ１を囲う形態であり、凸レンズ部８０の下部はキャップ３０に結合され、キャップ３０の下部からＬＥＤ１の側面に薄い壁を形成して上部に上がり、ＬＥＤ１の上部に凸レンズが形成されている形態である。ＬＥＤ１から放射された光を凸レンズ部８０で１次的にさらに広く分散し、再度凸レンズ部８０の外部に位置する投光部１０によって２次的にさらに広く分散する。凸レンズの形状は図７とは異なって両面とも膨らんでいることもできる。
【００７１】
本発明による吸着板が取り付けられたＬＥＤは、視認性を向上させるため投光部の上部にポリカーボネート層をさらに取り付けることができる。ポリカーボネートは、光の拡散性が大きく可視光線の透過率が高いため、非常に安定した感じの光を放出する。投光部を通過しながら１次的に拡散した光は、ポリカーボネートを通過しながら２次的に拡散して安定した感じの光に変わって全体的に視認性が向上するという効果がある。図８は、ポリカーボネート層が取り付けられた吸着板が取り付けられたＬＥＤの断面図である。図８のように、投光部１０の上部にポリカーボネート層８４が取り付けられる。ここで取り付けられるポリカーボネート層８４の形状には特に制限は無いが、光の拡散のためには上部が凸レンズの形状を有することが好ましい。ポリカーボネート層８４は、投光部に取り付ける方法には特に制限は無いが、投光部の上部に印刻をして形成された溝にポリカーボネート層８４を挿入することで簡単に設置することもできる。
【００７２】
本発明による吸着板が取り付けられたＬＥＤから放出されるＬＥＤ光を広く拡散させるため、ＬＥＤの上部と対向する投光部の下部には、拡散層がさらに取り付けられることもできる。図９は、拡散層が取り付けられた吸着板が取り付けられたＬＥＤの断面図である。拡散層８６は、光を最大限に拡散できる材質からなり、特に乱反射を引き起こすためクリスタルで製作することが好ましい。拡散層８６による乱反射によって１次的に拡散した光は、投光部１０を通過しながらさらに拡散して全体的にひとつの吸着板が取り付けられたＬＥＤによって照らす範囲が広くなる。拡散層８６は、投光部１０に取り付ける方法には特に制限は無いが、投光部に形成された溝に拡散層８６を挿入することで簡単に設置することもできる。
【００７３】
本発明による吸着板が取り付けられたＬＥＤは、投光部１０とＬＥＤ１が一体型で結合された形態で存在することもできるが、分離して存在することもできる。ここでＬＥＤ１と投光部１０が分離できる場合には、ＬＥＤの取替えや色を変える必要があるときに、投光部１０はそのまま使用できるという長所がある。この場合には、投光部１０にＬＥＤ１を押して結合させることとなる。
【００７４】
この場合の結合の強度を強くするため、ＬＥＤ１の下部に支持台５０をさらに設置することができる。支持台５０は、投光部１０と完全に密着しているためＬＥＤ１を投光部１０内に完全に固定させ、ＬＥＤ１の揺れによる破損を防ぐための部分である。図１０は、支持台がさらに設けられた吸着板が取り付けられたＬＥＤの断面図である。図１０のように、支持台５０は投光部１０の側面に完全に密着する。
【００７５】
図１１は、保護台がさらに設けられた本発明による吸着板が取り付けられたＬＥＤの概略図である。図１１のように、支持台５０の直径はＬＥＤ１の直径より長く、支持台５０にはＬＥＤ１の周りにＬＥＤ１を保護するための保護壁５２が設置されることができる。保護壁５２は、本発明によるヌードサインが、底飾り用のようにＬＥＤ１が破損されやすい部分に使用するとき、ＬＥＤ１が容易に破損することを防ぐためにＬＥＤ１の周りに円形で形成されたものである。ここで保護壁５２は必ずしもＬＥＤ１の周りを全て囲う必要は無い。
【００７６】
ＬＥＤ１と投光部１０が分離してこれを嵌めて固定物９０に固定させる場合には、ＬＥＤ１が投光部１０に嵌められる過程で投光部１０のＬＥＤ１が嵌められる部分の空気がＬＥＤ１が挿入されることによって圧縮して、長時間使用するときＬＥＤ１が圧縮空気によって押されＬＥＤ１の部分と投光部１０が分離するという問題があった。本発明では、このような問題点を解決すべく、投光部１０の内部に空気排出手段を形成することができる。
【００７７】
本発明における空気排出手段は、空気排出溝１８またはエンボス１９が挙げられる。図１２は、２つの空気排出溝が形成されたＬＥＤアセンブリの断面図で、図１３は、図１２のＡＡ部分の断面図である。図１２と図１３のように、投光部１０の内部のＬＥＤ１と接する部分にＬＥＤ１の挿入方向に少なくともひとつ以上の溝が形成されている。空気排出溝１８は、ＬＥＤ１が嵌められる過程で投光部１０の内部の空気を外部へ排出する役割をする。
【００７８】
図１４は、エンボスが形成されたＬＥＤアセンブリの断面図である。また、図１４のように、投光部１０の内部のＬＥＤ１と接する部分に少なくともひとつ以上のエンボスが形成されている。ＬＥＤ１が嵌められる過程で投光部１０の内部の空気は、エンボス１９の間の空間を通じて外部へ排出され、投光部の内部に過度な圧縮空気が形成されることを防ぐ。ここで、空気排出溝１８またはエンボス１９は、ＬＥＤの側面だけでなく、場合によっては支持台の側面に形成することができる。
【００７９】
また本発明による吸着板が取り付けられたＬＥＤは、吸着板２０と投光部１０は分離しており、吸着板２０に投光部１０が挟まる形態で結合されることもできる。結合する手段には特に制限は無く、図２４に図示されたように、吸着板２０には投光部１０が挟まるよう投光部１０の外部を囲う結合部２２があって、ここに投光部１０が嵌って結合されることができる。
【００８０】
また本発明による吸着板が取り付けられたＬＥＤは、投光部１０の底面に反射板６０が形成され、ＬＥＤから放出された光を前方に反射させて広告効果を増大することができる。図１５は、反射板が設けられた吸着板が取り付けられたＬＥＤの断面図である。
【００８１】
また本発明による吸着板が取り付けられたＬＥＤの電源供給手段には特に制限は無く、ＬＥＤが作動できれば問題ない。このような電源供給手段の一例としてバッテリー（蓄電器）、交流電源、直流電源、ソーラーセルまたはハイブリッドなどが挙げられる。
【００８２】
本発明による吸着板が取り付けられたＬＥＤは、上記のように、ひとつのヌードサインが使われることもできるが、殆どの場合は、複数の吸着板が取り付けられたＬＥＤが結合して文字または図形を表現する方式で使われる。ここでそれぞれの吸着板が取り付けられたＬＥＤを連結して使用することもできるが、適当な数の吸着板が取り付けられたＬＥＤが連結された形態で販売されることもできる。
【００８３】
この場合、それぞれの吸着板が取り付けられたＬＥＤは、全て吸着板を有することもできるが、一部のみ吸着板を有しても構わない。図１６は、５つの吸着板が取り付けられたＬＥＤが結合された実施例を示した図面である。図１６のように、それぞれの吸着板が取り付けられたＬＥＤは、少なくともひとつ以上のＬＥＤ１と、上記ＬＥＤの発光部分を囲い上記ＬＥＤの光を外部に透過させ、上記ＬＥＤの下部が開放された形態の投光部１０と、上記ＬＥＤの底面に位置し、上記投光部の開放された部分を囲うキャップ３０と、吸着板が取り付けられたＬＥＤの両端に位置するキャップから突出した電線に連結された連結部４０と、上記吸着板が取り付けられたＬＥＤの中間部分に位置するキャップから突出して隣接したキャップと連結される連結電線４８を含み、上記投光部のうち少なくともいずれかひとつ以上の投光部には、固定体に密着して上記複数の吸着板が取り付けられたＬＥＤを固定体に固定させる吸着板２０が取り付けられている。
【００８４】
ここで重要なのは、複数の吸着板が取り付けられたＬＥＤが結合した場合には、図１６（ａ）のように、全ての吸着板が取り付けられたＬＥＤが吸着板を有することもできるが、図１６（ｂ）乃至（ｄ）のように、一部の吸着板が取り付けられたＬＥＤのみ吸着板２０を有することもできるということである。
【００８５】
また複数の吸着板が取り付けられたＬＥＤが単純に連結電線４８によってのみ連結されていると、使用者がこれをガラス窓に貼るときに必要な形とおりに正確に貼ることは難しい。特に、直線に貼る必要がある場合には、使用者がこれを直線に合わせるためにはひとつの吸着板が取り付けられたＬＥＤを取り付け、その次に吸着板が取り付けられたＬＥＤを取り付けるとき、その位置に非常に注意しなければならないという厄介さがあった。そこで、本発明における吸着板が取り付けられたＬＥＤは、複数の吸着板が取り付けられたＬＥＤが取付板７０に固定される形態になることもできる。ここで取付板７０は、使用者がある程度以上の力を加えると曲がることはあるものの、それ以下の力では曲がらない材質からなることが好ましい。
【００８６】
図１７は、このような取付板が設けられた吸着板が取り付けられたＬＥＤの概略図である。図１７のように、複数の吸着板が取り付けられたＬＥＤは、取付板に連結されている形態である。ここで取付板７０は、投光部１０を連結することもできるが、キャップ３０の部分が連結されることもできる。勿論、吸着板が取り付けられたＬＥＤの他の部分にも結合できるということは当然である。
【００８７】
図１７のように、取付板７０が投光部１０に連結される場合には、取付板７０に一定の間隔で溝を形成し、上記溝にそれぞれの吸着板が取り付けられたＬＥＤを嵌めて結合して使用すれば良い。一方、取付板７０をキャップ３０に嵌めて連結する場合には、キャップ３０の中央に突出部が形成され、上記突出部と結合できる
2012518265.tif 000003
状の取付板７０があって、キャップと取付板を結合して使用することとなる。図２３は、
2012518265.tif 000004
状の取付板７０の概略図である。キャップ３０は、上記取付板７０の溝７２に嵌められる形態で製作される。さらにこの場合には、取付板７０は、吸着板が取り付けられたＬＥＤをガラスなどの固定体に取り付けた後に分離することもできる。この場合の取付板は、吸着板が取り付けられたＬＥＤが所望の形態に取り付けられるように手伝う役割をする。
【００８８】
図１８は、本発明による吸着板が取り付けられたＬＥＤの他の実施例である。ここで吸着板が取り付けられたＬＥＤは、上記の実施例とは異なって両面に光を放射するようＬＥＤが２つ設けられたことを特徴とする。図１８のように、本実施例における吸着板が取り付けられたＬＥＤは、上記の実施例におけるキャップに該当する役割をする固定部３５を中心としてそれぞれ両面に取り付けられた第１及び第２ＬＥＤ１’、１”と、上記第１及び第２ＬＥＤをそれぞれ囲い上記第１及び第２ＬＥＤの光を外部に透過させる第１及び第２投光部１０’、１０”と、上記第１投光部の上部の周りに上記第１投光部と連結された形態であり、固定体に密着して上記投光部を固定体に固定させる吸着板２０と、上記固定部３５から突出した連結部４０と、を含む。
【００８９】
図１８では、左側部Ｘと右側部Ｙを吸着板の方向から見たとき同じ形状を有しているが、必要によっては左右側部の形状が相互異なることもできる。例えば、左側部Ｘは半球状で、右側部Ｙは星状であることもできる。
【００９０】
本発明による吸着板が取り付けられたＬＥＤを用いて文字または図形を表現する方法について説明する。本発明による吸着板が取り付けられたＬＥＤを用いて様々な方法で文字または図形を表現することができる。
【００９１】
例えば、使用者が‘
2012518265.tif 000005
’という文字を表現する場合、１）本発明による吸着板が取り付けられたＬＥＤを‘
2012518265.tif 000006
’の形状になるように直接ガラス窓のような固定体に貼って表現したり、２）‘
2012518265.tif 000007
’という文字が書かれた布、フィルムまたは紙などに一定の間隔で溝を作り、その溝に本発明による吸着板が取り付けられたＬＥＤを一定の間隔で挟んだ後、ガラス窓のような固定体に貼って表現することもでき、３）ガラス窓のような固定体に‘
2012518265.tif 000008
’状の遮光性フィルムを貼って、その上に一定の間隔で本発明による吸着板が取り付けられたＬＥＤを取り付けて‘
2012518265.tif 000009
’という文字を表現することができる。
【００９２】
図１９は、本発明による吸着板が取り付けられたＬＥＤによって‘
2012518265.tif 000010
’が表現されたことを示した図面である。図１９は、ガラス窓に‘
2012518265.tif 000011
’という形状が刻まれた遮光性フィルム１２０に本発明による吸着板が取り付けられたＬＥＤ１００を一定の間隔で取り付けたことを示す。ここで‘
2012518265.tif 000012
’部分と‘
2012518265.tif 000013
’部分はそれぞれ図１７に図示された吸着板が取り付けられたＬＥＤで表現され、‘
2012518265.tif 000014
’部分と‘
2012518265.tif 000015
’部分の間には連結ジェンダー１３２がある追加の連結線１３０によって連結されている。‘
2012518265.tif 000016
’部分と‘
2012518265.tif 000017
’部分の他の側の末端には連結部４０が出ており、他の吸着板が取り付けられたＬＥＤまたは外部電源供給装置と連結されることができる。
【００９３】
このように作られた文字‘
2012518265.tif 000018
’は、遮光性フィルム１２０によっても認識できるだけでなく、これに取り付けられた吸着板が取り付けられたＬＥＤによってその視認性がさらに向上する。特に、薄膜投光部からの明るい光によって遠距離まで情報を伝えることができ、厚膜投光部からのかすかに側面に伝播される光によって側面からもその内容を容易に分かることができ、投光部によってガラス窓による光の広がり現象を最小化し、また、薄膜投光部と厚膜投光部の調和によってその視覚的な効果が大きいため、遠距離／近距離及び正面／側面での視認性が全体的に向上する。
【００９４】
図２０乃至図２２は、相互異なる文字または図形が表現されたことを示した図面である。図面において連結電線の図示は省略した。
【００９５】
上記の本発明について説明するとき、商店のガラス窓を中心に説明したが、本発明はガラスのような透明または半透明の平らな固定体が使われる所であれば全て適用可能である。例えば、車のガラス、鏡などが挙げられる。
【産業上の利用可能性】
【００９６】
本発明による吸着板が取り付けられたＬＥＤは、広告、ディスプレイ、インテリア用として多様に使われることができる。
【図１】
2012518265.tif 000019
【図２】
2012518265.tif 000020
【図３】
2012518265.tif 000021
【図４】
2012518265.tif 000022
【図５】
2012518265.tif 000023
【図６】
2012518265.tif 000024
【図７】
2012518265.tif 000025
【図８】
2012518265.tif 000026
【図９】
2012518265.tif 000027
【図１０】
2012518265.tif 000028
【図１１】
2012518265.tif 000029
【図１２】
2012518265.tif 000030
【図１３】
2012518265.tif 000031
【図１４】
2012518265.tif 000032
【図１５】
2012518265.tif 000033
【図１６】
2012518265.tif 000034
【図１７】
2012518265.tif 000035
【図１８】
2012518265.tif 000036
【図１９】
2012518265.tif 000037
【図２０】
2012518265.tif 000038
【図２１】
2012518265.tif 000039
【図２２】
2012518265.tif 000040
【図２３】
2012518265.tif 000041
【図２４】
2012518265.tif 000042
【図２５】
2012518265.tif 000043
【図２６】
2012518265.tif 000044
【国際調査報告】
2012518265.tif 000045
2012518265.tif 000046
2012518265.tif 000047
2012518265.tif 000048